(57)【要約】【課題】階調特性が不明な画像出力装置に適用する場合であっても、補正精度が良好な階調補正曲線を作成することができる階調補正曲線作成方法、階調補正曲線作成装置、階調補正曲線作成プログラムを提供することを目的とする。【解決手段】互いに異なる一連の入力値に基づいて画像出力装置で出力された複数の色パッチそれぞれについて、色に関する物理量が測定された測定値を取得する測定値取得過程と、画像出力装置によって出力される色の階調を表わした階調曲線を、複数種類の抽出方法それぞれによって複数抽出する階調曲線抽出過程と、抽出された複数の階調曲線それぞれが表わす階調を所定の目標階調に補正する複数の階調補正曲線を作成する階調補正曲線作成過程と、階調補正曲線作成過程で作成された複数の階調補正曲線のうち１つの階調補正曲線を選択する階調補正曲線選択過程とを有する。【選択図】        図６
2006005449.tif 000002
【特許請求の範囲】
【請求項１】
画像の色の階調補正を定義した階調補正曲線を作成する階調補正曲線作成方法において、
画像を出力する画像出力装置によって、互いに異なる一連の入力値に基づいて出力された複数の色パッチそれぞれについて、色に関する物理量が測定された測定値を取得する測定値取得過程と、
前記入力値および前記測定値に基づいて、前記画像出力装置によって出力される色の階調を表わした階調曲線を、複数種類の抽出方法それぞれによって複数抽出する階調曲線抽出過程と、
前記階調曲線抽出過程で抽出された複数の階調曲線それぞれが表わす階調を所定の目標階調に補正する複数の階調補正曲線を作成する階調補正曲線作成過程と、
前記階調補正曲線作成過程で作成された複数の階調補正曲線のうち１つの階調補正曲線を選択する階調補正曲線選択過程とを有することを特徴とする階調補正曲線作成方法。
【請求項２】
前記階調曲線抽出過程が、隣接する測定値間の値を補間して階調曲線を抽出する過程であるとともに、複数種類の補間方法それぞれによって階調曲線を複数抽出する過程であることを特徴とする請求項１記載の階調補正曲線作成方法。
【請求項３】
前記階調曲線抽出過程が、前記測定値を、該測定値が表現する第１の物理量とは異なる第２の物理量の単位に変換して、該第２の物理量の単位で階調曲線を抽出するとともに、該第２の物理量の単位に変換していない元々の第１の物理量の単位でも階調曲線を抽出する過程であることを特徴とする請求項１記載の階調補正曲線作成方法。
【請求項４】
前記第１の物理量が濃度であり、前記第２の物理量が網％値であることを特徴とする請求項３記載の階調補正曲線作成方法。
【請求項５】
前記階調補正曲線選択過程が、前記複数の階調補正曲線のうち、曲線の歪みが所定値以下の階調補正曲線を選択する過程であることを特徴とする請求項１記載の階調補正曲線作成方法。
【請求項６】
前記階調補正曲線選択過程が、前記複数の階調補正曲線のうち、前記測定値取得過程で取得された複数の測定値それぞれが該階調補正曲線に従って補正された複数の補正値によって表現される階調が前記目標階調を所定の再現率以上で再現する階調補正曲線を選択する過程であることを特徴とする請求項１記載の階調補正曲線作成方法。
【請求項７】
画像の階調補正を定義した階調補正曲線を作成する階調補正曲線作成装置において、
画像を出力する画像出力装置によって、互いに異なる一連の入力値に基づいて出力された複数の色パッチそれぞれについて、色に関する物理量が測定された測定値を取得する測定値取得部と、
前記入力値および前記測定値に基づいて、前記画像出力装置によって出力される色の階調を表わした階調曲線を、複数種類の抽出方法それぞれによって複数抽出する階調曲線抽出部と、
前記階調曲線抽出部で抽出された複数の階調曲線それぞれが表わす階調を所定の目標階調に補正する複数の階調補正曲線を作成する階調補正曲線作成部と、
前記階調補正曲線作成部で作成された複数の階調補正曲線のうち１つの階調補正曲線を選択する階調補正曲線選択部とを備えたことを特徴とする階調補正曲線作成装置。
【請求項８】
コンピュータ内で実行され、該コンピュータを、画像の階調補正を定義した階調補正曲線を作成する階調補正曲線作成装置として動作させる階調補正曲線作成プログラムにおいて、
該コンピュータ上で、
画像を出力する画像出力装置によって、互いに異なる一連の入力値に基づいて出力された複数の色パッチそれぞれについて、色に関する物理量が測定された測定値を取得する測定値取得部と、
前記入力値および前記測定値に基づいて、前記画像出力装置によって出力される色の階調を表わした階調曲線を、複数種類の抽出方法それぞれによって複数抽出する階調曲線抽出部と、
前記階調曲線抽出部で抽出された複数の階調曲線それぞれが表わす階調を所定の目標階調に補正する複数の階調補正曲線を作成する階調補正曲線作成部と、
前記階調補正曲線作成部で作成された複数の階調補正曲線のうち１つの階調補正曲線を選択する階調補正曲線選択部とを構成することを特徴とする階調補正曲線作成プログラム。
【発明の詳細な説明】
【技術分野】
【０００１】
本発明は、画像の色の階調を補正するための階調補正曲線を作成する階調補正曲線作成方法、階調補正曲線作成装置、およびコンピュータを階調補正曲線作成装置として動作させるための階調補正曲線作成プログラムに関する。
【背景技術】
【０００２】
従来、画像を表す画像データに、画像を出力しようとする画像出力装置の特性に合わせた色変換処理を施し、さらに色の階調を補正する階調補正処理などを施してから、画像データを画像出力装置に出力することにより、好ましい色を有する画像を作成することが行われている。この階調補正処理においては、例えば、Ｃ（シアン）、Ｍ（マゼンタ）、Ｙ（イエロー）、およびＫ（黒）の各色ごとに、ＬＵＴ（ルックアップテーブル）等の形式で階調補正曲線を定義しておき、ＣＭＹＫの各画像データを各階調補正曲線に基づいて変換するという処理が行われている。
【０００３】
上記の階調補正曲線を作成する方法として、特許文献１には、Ｃ，Ｍ，Ｙ，Ｋそれぞれの濃度パッチからなるカラーチャートを使って階調補正曲線を作成する基本的な方法が記載されている。以下では、この特許文献１に記載されている階調補正曲線作成方法について説明する。
【０００４】
まず、パーソナルコンピュータ等でＣ，Ｍ，Ｙ，Ｋそれぞれについて複数の濃度パッチからなるカラーチャートを表す画像データが生成され、その画像データが画像出力装置に送られる。
【０００５】
パーソナルコンピュータから画像データが送られてくると、画像出力装置では、画像データに基づいてカラーチャートが出力される。
【０００６】
オペレータは、画像出力装置で出力されたカラーチャートを構成するＣ，Ｍ，Ｙ，Ｋそれぞれの濃度パッチの濃度を濃度計等で測定し、キーボードやマウスなどを使って、パーソナルコンピュータに測定結果である濃度値を入力する。
【０００７】
パーソナルコンピュータでは、入力された濃度パッチの濃度値と、その濃度パッチを生成したときの画像データの値とが対応付けられて、画像出力装置によって出力される画像の色の階調が取得され、さらに、その階調を目標階調に補正する階調補正曲線が作成される。
【０００８】
この特許文献１の方法によると、オペレータは、各濃度パッチの濃度値を測定してパーソナルコンピュータに入力するだけで、経験的な知識を必要とせず、容易に階調補正曲線を作成することができる。
【０００９】
ところで、上述した階調補正処理が行われるのは、印刷を印刷前にシミュレートするためのプルーフシステムなどといった、高画質な画像を出力する高級な画像出力システムが中心である。したがって、従来、特許文献１に記載された階調補正曲線作成方法等が適用された階調補正曲線作成用のプログラムや装置は、それら画像出力システムごとに専用に用意されている。
【００１０】
しかし、近年では、プリンタなどといった安価な画像出力装置で出力される画像も急速に高画質化してきており、身近な画像出力装置でも手軽に階調補正処理を行って、さらに出力品質を向上させたいという要望が高まっている。このような安価な画像出力装置の場合には、各装置専用の階調補正曲線作成用のプログラムなどを用意するのは、コストがかかるうえに大掛かりであるため、様々なタイプの画像出力装置に共通で１つのプログラム等が適用されることが好ましい。
【特許文献１】特開２００１−２４５１７１号公報
【発明の開示】
【発明が解決しようとする課題】
【００１１】
しかし、従来から用いられている階調補正曲線作成用のプログラムや装置は、画像出力システムごとに専用に作られたものであり、所定の予測範囲内の階調特性を有する特定タイプの画像出力装置に対して適用されることを前提としている。したがって、その特定タイプの画像出力装置用に作られたプログラム等を、階調特性の傾向等が全く不明な画像出力装置に転用しようとすると、その画像出力装置の階調特性が予測範囲を超えてしまっている場合には、作成された階調補正曲線の補正精度が極度に低下してしまうなどという問題がある。
【００１２】
本発明は、上記事情に鑑み、階調特性が不明な画像出力装置に適用する場合であっても、補正精度が良好な階調補正曲線を作成することができる階調補正曲線作成方法、階調補正曲線作成装置、およびコンピュータをそのような階調補正曲線作成装置として動作させることのできる階調補正曲線作成プログラムを提供することを目的とする。
【課題を解決するための手段】
【００１３】
上記目的を達成する本発明の階調補正曲線作成方法は、画像の色の階調補正を定義した階調補正曲線を作成する階調補正曲線作成方法において、
画像を出力する画像出力装置によって、互いに異なる一連の入力値に基づいて出力された複数の色パッチそれぞれについて、色に関する物理量が測定された測定値を取得する測定値取得過程と、
入力値および測定値に基づいて、画像出力装置によって出力される色の階調を表わした階調曲線を、複数種類の抽出方法それぞれによって複数抽出する階調曲線抽出過程と、
階調曲線抽出過程で抽出された複数の階調曲線それぞれが表わす階調を所定の目標階調に補正する複数の階調補正曲線を作成する階調補正曲線作成過程と、
階調補正曲線作成過程で作成された複数の階調補正曲線のうち１つの階調補正曲線を選択する階調補正曲線選択過程とを有することを特徴とする。
【００１４】
尚、本発明にいう色の階調を表わした階調曲線は、「入力値に対する測定値」の関係から抽出されるものであってもよく、その関係とは逆の関係である「測定値に対する入力値」の関係から抽出されるものであってもよく、それら入力値や測定値が表わす物理量とは異なる物理量の単位で抽出されるものであってもよい。
【００１５】
近年、様々なタイプの画像出力装置に共通して適用することができる、精度の良い階調補正曲線を作成する階調補正曲線作成方法の開発が求められている。通常、画像出力装置は、例えば、目標の階調に近い階調を有するものや、目標の階調に対して一様にずれた階調を有するものや、低濃度側では目標に近いが高濃度側では目標から外れてしまうものや、中間領域では目標に近いが低濃度側と高濃度側の双方で目標から外れてしまうものなどというように様々な階調特性を有しており、それらの階調特性それぞれによって、階調曲線の抽出に適した抽出方法が異なる。したがって、１つの階調補正曲線作成方法を様々なタイプの画像出力装置に共通して適用する場合に、従来の階調補正曲線作成方法のように１つの抽出方法で階調曲線が抽出されると、その抽出方法が画像出力装置の階調特性に適していない場合には、抽出された階調曲線に基づいて作成される階調補正曲線の補正精度が劣化してしまい、画像出力装置で出力される画像の色の階調を目標階調に補正することができなくなってしまう。
【００１６】
本発明の階調補正曲線作成方法によると、複数の抽出方法それぞれによって複数の階調曲線が抽出されるため、その画像出力装置の階調特性に適した抽出方法でも階調曲線が抽出される。したがって、複数の階調曲線それぞれに基づいて作成された複数の階調補正曲線の中から、画像出力装置の階調特性に合った階調補正曲線が選択されることによって、画像出力装置によって出力される画像の色の階調を精度良く補正する階調補正曲線を適用することができる。
【００１７】
また、本発明の階調補正曲線作成方法において、上記階調曲線抽出過程が、隣接する測定値間の値を補間して階調曲線を抽出する過程であるとともに、複数種類の補間方法それぞれによって階調曲線を複数抽出する過程であることが好ましい。
【００１８】
複数の測定値に基づいて階調曲線を抽出する際の補間方法としては、例えば、測定値を全体的に滑らかに繋ぐ多項式近似法や、全ての測定値を通る曲線を作成する準エルミート法などが従来から広く用いられている。例えば、測定値がばらついた不安定な画像出力装置に対しては、それら測定値のばらつきを無視して全体的な階調の傾向を抜き出す多項式近似法を適用し、安定性に優れた画像出力装置に対しては、全ての測定値が正確に反映された階調曲線を抽出する準エルミート法を適用することによって、画像出力装置の階調特性に適した抽出方法で階調曲線を抽出することができ、高精度な階調補正曲線を作成することができる。
【００１９】
また、本発明の階調補正曲線作成方法において、上記階調曲線抽出過程が、測定値を、その測定値が表現する第１の物理量とは異なる第２の物理量の単位に変換して、第２の物理量の単位で階調曲線を抽出するとともに、第２の物理量の単位に変換していない元々の第１の物理量の単位でも階調曲線を抽出する過程であることも好ましい。
【００２０】
測定値の単位が変換されることによって、抽出される階調曲線の形状が変わるため、その階調曲線に基づいて作成される階調補正曲線の形状も変わる。したがって、複数の単位で階調曲線が抽出されることによって、複数の階調補正曲線を作成することができる。
【００２１】
また、本発明の階調補正曲線作成方法において、上記第１の物理量が濃度であり、第２の物理量が網％値であることが好ましい。
【００２２】
色パッチの濃度が測定された測定値にばらつきがある場合、その測定値を網％値に単位変換すると、ドットゲイン等によって単位変換後の測定値の階調がつぶれて、測定値のばらつきが小さくなる傾向がある。測定値にばらつきの少ない、安定性の高い画像出力装置の場合には、濃度の単位で作成された、測定値が正確に反映された階調補正曲線を適用し、安定性が劣る画像出力装置の場合には、網％値の単位で作成された、全体的な滑らかさが重視された階調補正曲線を適用することによって、その画像出力装置によって出力される画像の色の階調を精度良く補正する階調補正曲線を選択することができる。
【００２３】
また、本発明の階調補正曲線作成方法において、上記階調補正曲線選択過程が、複数の階調補正曲線のうち、曲線の歪みが所定値以下の階調補正曲線を選択する過程であることが好適である。
【００２４】
この好適な形態の階調補正曲線作成方法を適用することによって、トーンジャンプなどといった階調の不具合を軽減させることができる。
【００２５】
また、本発明の階調補正曲線作成方法において、上記階調補正曲線選択過程が、複数の階調補正曲線のうち、測定値取得過程で取得された複数の測定値それぞれが階調補正曲線に従って補正された複数の補正値によって表現される階調が目標階調を所定の再現率以上で再現する階調補正曲線を選択する過程であることが好ましい。
【００２６】
目標階調を精度良く再現する階調補正曲線を選択することによって、画像出力装置において、見た目に好ましい色を有する画像を出力することができる。
【００２７】
また、上記目的を達成する本発明の階調補正曲線作成装置は、画像の階調補正を定義した階調補正曲線を作成する階調補正曲線作成装置において、
画像を出力する画像出力装置によって、互いに異なる一連の入力値に基づいて出力された複数の色パッチそれぞれについて、色に関する物理量が測定された測定値を取得する測定値取得部と、
入力値および測定値に基づいて、画像出力装置によって出力される色の階調を表わした階調曲線を、複数種類の抽出方法それぞれによって複数抽出する階調曲線抽出部と、
階調曲線抽出部で抽出された複数の階調曲線それぞれが表わす階調を所定の目標階調に補正する複数の階調補正曲線を作成する階調補正曲線作成部と、
階調補正曲線作成部で作成された複数の階調補正曲線のうち１つの階調補正曲線を選択する階調補正曲線選択部とを備えたことを特徴とする。
【００２８】
本発明の階調補正曲線作成装置によると、入力値と測定値に基づいて、複数種類の抽出方法それぞれによって階調曲線が複数抽出され、それら階調曲線それぞれに応じた複数の階調補正曲線が作成される。したがって、画像出力装置の階調特性に適した抽出方法でも階調曲線が抽出され、画像出力装置によって出力される画像の色の階調を精度良く補正する階調補正曲線を選択することができる。
【００２９】
尚、階調補正曲線作成装置については、ここではその基本形態のみを示すのにとどめるが、これは単に重複を避けるためであり、本発明にいう階調補正曲線作成装置には、上記の基本形態のみではなく、前述した階調補正曲線作成方法の各形態に対応する各種の形態が含まれる。
【００３０】
また、上記目的を達成する本発明の階調補正曲線作成プログラムは、コンピュータ内で実行され、そのコンピュータを、画像の階調補正を定義した階調補正曲線を作成する階調補正曲線作成装置として動作させる階調補正曲線作成プログラムにおいて、
コンピュータ上で、
画像を出力する画像出力装置によって、互いに異なる一連の入力値に基づいて出力された複数の色パッチそれぞれについて、色に関する物理量が測定された測定値を取得する測定値取得部と、
入力値および前記測定値に基づいて、画像出力装置によって出力される色の階調を表わした階調曲線を、複数種類の抽出方法それぞれによって複数抽出する階調曲線抽出部と、
階調曲線抽出部で抽出された複数の階調曲線それぞれが表わす階調を所定の目標階調に補正する複数の階調補正曲線を作成する階調補正曲線作成部と、
階調補正曲線作成部で作成された複数の階調補正曲線のうち１つの階調補正曲線を選択する階調補正曲線選択部とを構成することを特徴とする。
【００３１】
本発明の階調補正曲線作成プログラムをコンピュータ内で実行させることによって、そのコンピュータを上記のような階調補正曲線作成装置として動作させることができる。
【００３２】
また、本発明の階調補正曲線作成プログラムがコンピュータ上に構成する測定値取得部などといった要素は、１つの要素が１つのプログラム部品によって構成されるものであってもよく、１つの要素が複数のプログラム部品によって構成されるものであってもよく、複数の要素が１つのプログラム部品によって構成されるものであってもよい。また、これらの要素は、そのような作用を自分自身で実行するものとして構築されてもよく、あるいは、コンピュータに組み込まれている他のプログラムやプログラム部品に指示を与えて実行するものとして構築されても良い。
【発明の効果】
【００３３】
本発明によれば、階調特性が不明な画像出力装置に適用する場合であっても、補正精度が良好な階調補正曲線を作成することができる階調補正曲線作成方法、階調補正曲線作成装置、およびコンピュータをそのような階調補正曲線作成装置として動作させることのできる階調補正曲線作成プログラムを提供することができる。
【発明を実施するための最良の形態】
【００３４】
以下、本発明の実施形態について説明する。
【００３５】
図１は、本発明の一実施形態が適用された画像処理システムの全体構成図である。
【００３６】
図１には、カラースキャナ１０が示されており、そのカラースキャナ１０では、原稿画像１１が読み取られて、Ｃ，Ｍ，Ｙ，およびＫからなる４色の画像データが生成される。このＣ，Ｍ，Ｙ，Ｋの画像データは、パーソナルコンピュータ２０に入力される。このパーソナルコンピュータ２０では、カラースキャナ１０で得られた画像データが、後述するカラープリンタ３０に適した画像出力用の画像データに変換される。ここで、図１の説明を中断し、図２を使ってパーソナルコンピュータ２０に備えられている機能について説明する。
【００３７】
図２は、パーソナルコンピュータ２０の機能ブロック図である。
【００３８】
図１に示すパーソナルコンピュータ２０には、色変換装置４０、階調補正装置５０、および階調補正曲線作成装置６０それぞれとしての機能が備えられている。
【００３９】
パーソナルコンピュータ２０には、図１に示すカラースキャナ１０に適した色空間の画像データと、カラープリンタ３０に適した色空間の画像データとの対応が定義された、ルックアップテーブル形式の色変換プロファイル４１が予め用意されている。色変換装置４０は、色変換プロファイル４１を参照して、図１のカラースキャナ１０などから送られてきた画像データをカラープリンタ３０に適した色空間の画像データに変換する。
【００４０】
また、パーソナルコンピュータ２０には、Ｃ，Ｍ，Ｙ，Ｋ各色ごとの複数の濃度パッチそれぞれを表す複数のパッチデータが用意されており、図１のカラープリンタ３０では、予め、それらパッチデータに基づいて、複数の濃度パッチで形成されたカラーチャートが出力される。階調補正曲線作成装置６０は、カラーチャート上の濃度パッチの濃度が測定された濃度測定値を使って、カラープリンタ３０によって出力される画像の色の階調を予め用意された目標階調に補正するための階調補正曲線５１を作成する。この階調補正曲線作成装置６０での処理は、例えば、新しいプリンタがパーソナルコンピュータ２０に接続されるときなどに、オペレータの指示に応じて行われる処理である。この階調補正曲線５１の作成方法は、後で詳しく説明する。
【００４１】
階調補正装置５０は、階調補正曲線作成装置６０で作成された階調補正曲線５１に従って、色変換装置４０から送られてきた画像データに階調補正処理を施す。階調補正装置５０で階調補正処理が施された画像データは、図１のカラープリンタ３０に送られる。
【００４２】
以上で図２の説明を終了し、図１に戻って説明する。
【００４３】
カラースキャナ１０からパーソナルコンピュータ２０に入力された画像データは、図２に示す色変換装置４０および階調補正装置５０それぞれの機能によって、カラープリンタ３０に適し、色の階調補正処理が施された画像データに変換され、さらに、カラープリンタ３０に送られる。カラープリンタ３０では、送られてきた画像データに基づくプリント出力が行われて、プリント画像３１が形成される。
【００４４】
この図１に示す画像処理システムでは、画像データに基づく画像を出力する画像出力装置の一例としてカラープリンタ３０を示したが、このカラープリンタ３０は、電子写真方式のカラープリンタであってもよく、インクジェット方式のカラープリンタであってもよく、そのプリント方式の如何を問うものではない。また、画像出力装置としては、プリンタに限定されるものではなく、印刷機などであってもよい。ただし、ここでは、本発明にいう画像出力装置の一例としてカラープリンタ３０を備えた画像処理システムを前提として説明する。
【００４５】
ここで、この図１に示す画像処理システムにおける、本発明の一実施形態としての特徴は、パーソナルコンピュータ２０の内部で実行される処理内容にあり、以下、このパーソナルコンピュータ２０について説明する。
【００４６】
図３は、図１に１つのブロックで示すパーソナルコンピュータ２０の外観斜視図であり、図４は、そのパーソナルコンピュータ２０のハードウェア構成図である。
【００４７】
このパーソナルコンピュータ２０は、外観構成上、本体装置２１、その本体装置２１からの指示に応じて表示画面２２ａ上に画像を表示する画像表示装置２２、本体装置２１に、キー操作に応じた各種の情報を入力するキーボード２３、および、表示画面２２ａ上の任意の位置を指定することにより、その位置に表示された、例えばアイコン等に応じた指示を入力するマウス２４を備えている。この本体装置２１は、外観上、フレキシブルディスク（以下、ＦＤと省略する）を装填するためのＦＤ装填口２１ａ、およびＣＤ−ＲＯＭを装填するためのＣＤ−ＲＯＭ装填口２１ｂを有する。
【００４８】
本体装置２１の内部には、図４に示すように、各種プログラムを実行するＣＰＵ２１１、ハードディスク装置２１３に格納されたプログラムが読み出されＣＰＵ２１１での実行のために展開される主メモリ２１２、各種プログラムやデータ等が保存されたハードディスク装置２１３、ＦＤ１００が装填され、その装填されたＦＤ１００をアクセスするＦＤドライブ２１４、ＣＤ−ＲＯＭ１１０が装填され、その装填されたＣＤ−ＲＯＭ１１０をアクセスするＣＤ−ＲＯＭドライブ２１５、カラースキャナ１０（図１参照）と接続され、カラースキャナ１０から画像データを受け取る入力インタフェース２１６、カラープリンタ３０に画像データを送る出力インタフェース２１７が内蔵されており、これらの各種要素と、さらに、図３にも示す画像表示装置２２、キーボード２３、マウス２４は、バス２５を介して相互に接続されている。
【００４９】
ここで、ＣＤ−ＲＯＭ１１０には、本発明の階調補正曲線作成プログラムの一実施形態が適用され、パーソナルコンピュータ２０を図２の階調補正曲線作成装置６０として動作させるための階調補正曲線作成プログラムが記憶されている。そのＣＤ−ＲＯＭ１１０はＣＤ−ＲＯＭドライブ２１５に装填され、そのＣＤ−ＲＯＭ１１０に記憶された階調補正曲線作成プログラムがこのパーソナルコンピュータ２０にアップロードされてハードディスク装置２１３に記憶される。そして、この階調補正曲線作成プログラムが起動されて実行されることにより、図２に示すパーソナルコンピュータ２０が、本発明の階調補正曲線作成装置の一実施形態である階調補正曲線作成装置６０として動作する。
【００５０】
次に、このパーソナルコンピュータ２０内で実行される、階調補正曲線作成プログラムについて説明する。
【００５１】
図５は、本発明の階調補正曲線作成プログラムの一実施形態が記憶されたＣＤ−ＲＯＭ１１０を示す概念図である。
【００５２】
図５に示す階調補正曲線作成プログラム３００は、測定値取得部３１０、階調曲線抽出部３２０、階調補正曲線作成部３３０、階調補正曲線選択部３４０を有する。階調補正曲線作成プログラム３００の各要素の詳細については後述する。
【００５３】
図６は、図２に示す階調補正曲線作成装置６０の機能ブロック図である。
【００５４】
この階調補正曲線作成装置６０は、測定値取得部４１０、階調曲線抽出部４２０、階調補正曲線作成部４３０、および階調補正曲線選択部４４０から構成されており、これら測定値取得部４１０、階調曲線抽出部４２０、階調補正曲線作成部４３０、および階調補正曲線選択部４４０は、図５に示す階調補正曲線作成プログラム３００を構成する、測定値取得部３１０、階調曲線抽出部３２０、階調補正曲線作成部３３０、階調補正曲線選択部３４０それぞれによってパーソナルコンピュータ２０上に構成されている。このように、図６に示す階調補正曲線作成装置６０の各要素は、図５に示す階調補正曲線作成プログラム３００の各要素それぞれに対応するが、図６の各要素はパーソナルコンピュータ２０のハードウェアとそのパーソナルコンピュータ２０で実行されるＯＳやアプリケーションプログラムとの組み合わせで構成されているのに対し、図５に示す各要素はそれらのうちのアプリケーションプログラムのみにより構成されている点が異なる。
【００５５】
以下、図６に示す階調補正曲線作成装置６０の各要素を説明することによって、図５に示す階調補正曲線作成プログラム３００の各要素も併せて説明する。
【００５６】
図１には、画像データに基づく画像を出力する画像出力装置としてカラープリンタ３０が示されているが、このパーソナルコンピュータ２０には、様々な画像出力装置を接続することができる。パーソナルコンピュータ２０に新しい画像出力装置が接続されると、図６に示す階調補正曲線作成装置６０に、その画像出力装置によって出力される画像の色の階調を目標階調に補正するための階調補正曲線を作成する指示が与えられる。
【００５７】
パーソナルコンピュータ２０には、Ｃ，Ｍ，Ｙ，Ｋ各色ごとに、相互に異なる一連のデータ値を有する複数のパッチデータが用意されている。それら複数のパッチデータは、まず、図２に示す色変換装置４０に送られて、色変換装置４０で色変換処理が施され、続いて、図１に示すカラープリンタ３０に送られて、カラープリンタ３０で複数のパッチデータそれぞれに基づいて複数の濃度パッチがカラーチャート４０１として出力される。カラーチャート４０１が出力されると、オペレータによって、カラーチャート４０１を形成する各濃度パッチごとに濃度が測定され、図３に示すマウス２４などを使って、パーソナルコンピュータ２０に濃度測定値が入力される。入力された濃度測定値は、測定値取得部４１０に取得される。この測定値取得部４１０は、本発明における測定値取得部の一例に相当する。また、この濃度パッチは、本発明にいう色パッチの一例にあたり、「濃度」は本発明にいう「色に関する物理量」および「第１の物理量」それぞれの一例にあたり、濃度パッチの濃度を測定した「濃度測定値」は本発明にいう「測定値」の一例に相当する。
【００５８】
階調曲線抽出部４２０は、パッチデータのデータ値と、そのパッチデータに基づいて出力された濃度パッチの濃度測定値とに基づいて、カラープリンタ３０によって出力される画像の色の階調を表わした階調曲線を抽出する。
【００５９】
ここで、図１に示すパーソナルコンピュータ２０には、様々な階調特性を有する画像出力装置が接続されるため、１つの抽出方法で階調曲線を抽出しようとすると、その抽出方法が画像出力装置の階調特性に適していない場合には、精度良く階調曲線を抽出することができない。その結果、階調曲線に基づいて作成される階調補正曲線の補正精度も劣化してしまい、画像出力装置で出力される画像の色の階調を目標階調に補正することができなくなってしまう。したがって、本発明では、１つの画像出力装置に対して、複数の抽出方法それぞれで複数の階調曲線を抽出しておく。本実施形態では、「データ値に対する濃度測定値」の関係（以下では、第１関係と称する）、第１関係とは逆の関係である「濃度測定値に対するデータ値」の関係（以下では、第２関係と称する）、第１関係の濃度測定値の単位を網％値に変換した「データ値に対する網％変換値」の関係（以下では、第３関係と称する）、第３関係とは逆の関係である「網％変換値に対するデータ値」の関係（以下では、第４関係と称する）それぞれを用いて、さらに、値と値との間を補間する補間方法として多項式近似法、および準エルミート法それぞれを採用し、計８つの抽出方法によって階調曲線を抽出する。この「網％変換値」は本発明にいう「第２の物理量」の一例にあたり、多項式近似法および準エルミート法は、本発明にいう複数種類の補間方法の一例にあたる。また、階調曲線抽出部４２０は、本発明における階調曲線抽出部の一例に相当する。
【００６０】
階調補正曲線作成部４３０は、階調曲線抽出部４２０で抽出された複数の階調曲線それぞれが表わす階調を、予め用意されている目標階調に補正する複数の階調補正曲線を作成する。この階調補正曲線作成部４３０は、本発明における階調補正曲線作成部の一例に相当する。
【００６１】
階調補正曲線選択部４４０は、階調補正曲線作成部４３０で作成された複数の階調補正曲線から１つの階調補正曲線を選択する。本実施形態では、曲線の歪みが所定値以下であり、目標階調に近い階調を再現させる階調補正曲線が選択される。この階調補正曲線選択部４４０は、本発明における階調補正曲線選択部の一例に相当する。
【００６２】
階調補正曲線作成装置６０は、基本的には以上のように構成されている。
【００６３】
図７は、階調補正曲線作成装置６０で階調補正曲線を選択するまでの一連の手順を示すフローチャートである。以下では、このフローチャートを使って、複数の階調補正曲線を作成し、それらの中から１つの階調補正曲線を選択するまでの一連の処理について詳しく説明する。
【００６４】
まず、オペレータによって、階調補正曲線を作成する指示が入力されると、パーソナルコンピュータ２０は、Ｃ，Ｍ，Ｙ，Ｋ各単色ごとの複数の濃度パッチそれぞれを表す複数のパッチデータを図１に示すカラープリンタ３０に送る。カラープリンタ３０は、送られてきたパッチデータに基づき、複数の濃度パッチでなる図６に示すカラーチャート４０１を出力する（図７のステップＳ１１）。
【００６５】
図８は、カラープリンタ３０で作成された、図６にも示すカラーチャート４０１を示す図である。
【００６６】
このカラーチャート４０１には、Ｃ，Ｍ，Ｙ，Ｋの各単色について２１個ずつの濃度パッチが形成されている。それぞれの濃度パッチには、各濃度パッチを識別するためのパッチ番号が割り当てられている。このバッチ番号は、そのパッチ番号が割り当てられた濃度パッチを出力するためのデータ値と対応付けられて、パーソナルコンピュータ２０に記憶されている。
【００６７】
続いて、図８に示すカラーチャート４０１を構成する各濃度パッチの濃度が測定される。この測定自身は、図６の階調補正曲線作成装置６０から離れ、オペレータが、例えば、濃度測定モード付きの測色計等を用いて行う作業である。オペレータは、濃度パッチの濃度である濃度測定値を測定すると、図３に示すキーボード２３等を使って、パッチ番号と濃度測定値をパーソナルコンピュータ２０に入力する。入力された濃度測定値は、パッチ番号と対応付けられたデータ値とともに、図６の測定値取得部４１０によって取得される（図７のステップＳ１２）。図７のステップＳ１２における濃度測定値を取得する過程は、本発明の階調補正曲線作成方法における測定値取得過程の一例に相当する。
【００６８】
測定値取得部４１０で取得されたデータ値と濃度測定値は、階調曲線抽出部４２０に送られる。
【００６９】
尚、ステップＳ２におけるパーソナルコンピュータ２０への濃度測定値の入力は、測定データをそのまま信号として出力する機能を有する測色計等を用いて、その測色計とパーソナルコンピュータ２０とを信号ケーブルでつないで、測定値をそのままパーソナルコンピュータ２０に入力するものであってもよい。
【００７０】
以上で説明したステップＳ１１およびステップＳ１２の動作は、階調補正曲線作成の本処理の動作ではなく、いわば、階調補正曲線を作成するための準備動作である。
【００７１】
図９は、階調補正曲線作成装置６０によって行われる、図７のフローチャートにおけるステップＳ１３およびステップＳ１４の処理内容を示した模式図である。以下では図６および図７に加えて、図９も併せて使って、階調補正曲線作成装置６０内で行われる階調補正曲線を作成するための本処理について説明する。
【００７２】
パーソナルコンピュータ２０には、高濃度側の階調がつぶれやすい画像出力装置や、温度などの影響によって濃度測定値が変化しやすい不安定な画像出力装置など、様々な階調特性を有する画像出力装置が接続される。画像出力装置の階調特性によって、精度良く階調曲線を抽出することができる抽出方法が異なるため、本発明においては、複数の抽出方法で階調曲線を抽出しておく。
【００７３】
図６の階調曲線抽出部４２０では、データ値と濃度測定値とに基づいて、図１のカラープリンタ３０で出力される画像の色の階調を表わす階調曲線が、複数の抽出方法それぞれによって複数抽出される（図７のステップＳ１３）。
【００７４】
本実施形態では、以下に示す８つの抽出方法それぞによって８つの階調曲線が抽出される。
第１＿Ａの方法：第１関係（データ値に対する濃度測定値の関係）に基づき、値と値の間を補間する補間方法として多項式近似法を採用して階調曲線を抽出する。
第１＿Ｂの方法：第１関係に基づき、補間方法として準エルミート法を採用する。
第２＿Ａの方法：第２関係（濃度測定値に対するデータ値の関係）に基づき、補間方法として多項式近似法を採用する。
第２＿Ｂの方法：第２関係に基づき、補間方法として準エルミート法を採用する。
第３＿Ａの方法：第３関係（データ値に対する網％変換値の関係）に基づき、補間方法として多項式近似法を採用する。
第３＿Ｂの方法：第３関係に基づき、補間方法として準エルミート法を採用する。
第４＿Ａの方法：第４関係（データ値に対する網％変換値の関係）に基づき、補間方法として多項式近似法を採用する。
第４＿Ｂの方法：第４関係に基づき、補間方法として準エルミート法を採用する。
【００７５】
まず、第１＿Ａの方法によって階調曲線を抽出し、その階調曲線に対する階調補正曲線を作成する方法について説明する。
【００７６】
図９のパート（Ａ）には、横軸にデータ値（入力値）、縦軸に濃度測定値（出力値）がそれぞれ対応付けられた、第１関係を表わす第１グラフが示されている。この第１グラフ上の点や点近傍を滑らかに繋いだ曲線は、図１に示すカラープリンタ３０によって出力される画像の色の階調を表わし、図７のステップＳ１３で抽出する階調曲線Ｐである。第１＿Ａの方法では、この階調曲線Ｐを、第１関係に基づいて抽出する。
【００７７】
まず、図９パート（Ａ）に示された第１グラフの縦軸と横軸とが入れ替えられて、図９パート（Ｂ）に示す、横軸に濃度測定値（出力値）、縦軸にデータ値（入力値）それぞれが対応付けられた第１逆グラフが取得される。
【００７８】
続いて、第１逆グラフ上の点と点との間が多項式近似法によって補間されて、第１逆グラフ上の点や点近傍を通る滑らかな第１逆曲線Ｐ-1が作成される。多項式近似法は、従来から広く使われている方法であるため、本明細書では説明を省略する。
【００７９】
ここで、第１逆曲線Ｐ-1は、縦軸と横軸とを入れ替えることによって、図９パート（Ａ）に示す第１グラフ上の点を通る階調曲線Ｐを導くことができるため、第１逆曲線Ｐ-1を作成する処理は、階調曲線Ｐを抽出する処理と同義である。
【００８０】
また、図９パート（Ａ）に示された第１グラフ上の点と点との間を補間して、第１逆曲線Ｐ-1を作成せずに直接に階調曲線Ｐを抽出してもよいが、以下に続く階調補正曲線を作成する処理で第１逆曲線Ｐ-1を使用するため、本実施形態では、ステップＳ１３において、階調曲線Ｐではなく第１逆曲線Ｐ-1を抽出する。図７のステップＳ１３における第１逆曲線Ｐ-1を抽出する（つまり、階調曲線Ｐを抽出する）過程は、本発明の階調補正曲線作成方法における階調補正曲線抽出過程の一例に相当する。
【００８１】
図６の階調曲線抽出部４２０で抽出された第１逆曲線Ｐ-1は、階調補正曲線作成部４３０に伝えられる。階調補正曲線作成部４３０では、第１逆曲線Ｐ-1を使って、階調曲線Ｐが表わす階調を目標階調に補正する階調補正曲線が作成される（図７のステップＳ１４）。
【００８２】
図９パート（Ｃ）には、パーソナルコンピュータ２０に予め用意されている、画像の色に関する目標階調を表わす目標曲線Ｔが示されている。階調曲線Ｐが表わす階調を目標曲線Ｔが表わす目標階調に補正する階調補正曲線Ｃは、目標曲線Ｔと第１逆曲線Ｐ-1とを用いて、
階調補正曲線Ｃ＝第１逆曲線Ｐ-1（目標曲線Ｔ）      ……（１）
によって算出される。図７のステップＳ１４における階調補正曲線を作成する過程は、本発明の階調補正曲線作成方法における階調補正曲線作成過程の一例にあたる。
【００８３】
図９パート（Ｄ）には、第１＿Ａの方法を適用して作成された階調補正曲線Ｃが示されている。
【００８４】
この第１＿Ａの方法によると、濃度測定値を網％変換値に変換せずにそのまま使って階調曲線Ｐ（実際には、第１逆曲線Ｐ-1）が抽出されるため、測定誤差や、濃度のばらつきなどによって、作成される階調補正曲線Ｃの補正精度が劣化することがある。しかし、濃度測定値が滑らかに変化する画像出力装置に適用される場合には、滑らかな階調を有する第１逆曲線Ｐ-1が得られるために補間処理時の階調の歪みが抑えられ、高精度な階調補正曲線Ｃを作成することができる。
【００８５】
また、第１＿Ａの方法によると、補間方法として多項式近似法が採用されているため、濃度測定値のばらつきよりも、全体的な傾向を重視して階調曲線が抽出されており、色の再現性が不安定な画像出力装置の場合に、精度良く階調補正曲線Ｃを作成することができる。
【００８６】
第１＿Ａの方法を適用する場合、以上のようにして階調補正曲線Ｃが作成される。
【００８７】
続いて、階調曲線を抽出する方法として、第１＿Ｂの方法が適用される場合について説明する。
【００８８】
第１＿Ｂの方法では、第１＿Ａの方法とほぼ同様の処理が行われるが、図９パート（Ｂ）に示す第１逆グラフ上の点と点との間が、多項式近似法ではなく準エルミート法によって補間されて、第１逆曲線Ｐ-1が作成される。この準エルミート法も、従来から広く使われている方法であるため、本明細書では説明を省略する。
【００８９】
第１＿Ａの方法で適用された多項式近似法によると、図９パート（Ｂ）に示す第１逆グラフ上の点や、それら点の近傍を滑らかに結ぶ第１逆曲線Ｐ-1が作成されるのに対し、第１＿Ｂの方法で適用された準エルミート法によると、第１逆グラフ上の全ての点を通る第１逆曲線Ｐ-1が作成される。
【００９０】
このように、補間方法として準エルミート法が適用されると、全ての点が正確に反映された第１逆曲線Ｐ-1が作成されるため、色の再現性が良好な安定した画像出力装置に適用される場合には、高精度な階調補正曲線Ｃが作成される。
【００９１】
尚、上述した第ｎ＿Ａの方法（ｎは１〜４）と第ｎ＿Ｂの方法（ｎは１〜４）とは、補間方法のみが異なるため、以下では、それらを第ｎの方法（ｎは１〜４）としてまとめて説明する。
【００９２】
続いて、階調曲線を抽出する方法として、第２の方法（第２＿Ａの方法、第２＿Ｂの方法）が適用される場合について説明する。
【００９３】
第２の方法では、まず、図９パート（Ａ）において、縦軸（出力値）が所定間隔ごとに区切られて、出力値ｙをΔｙずつｙ＝ｙ1，ｙ2，…，ｙnと変化させたときの入力値ｘ1，ｘ2，…，ｘnが第１グラフ上の各点（横軸：データ値，縦軸：濃度測定値）に基づいて推測される。この例では、第１グラフ上の各点を使って、入力値ｘが補間計算される。これら入力値ｘ1，ｘ2，…，ｘnが新たなデータ値、出力値ｙ＝ｙ1，ｙ2，…，ｙnが新たな濃度測定値として扱われる。
【００９４】
続いて、横軸に出力値（新たな濃度測定値）ｙ＝ｙ1，ｙ2，…，ｙn、縦軸に入力値（新たなデータ値）ｘ1，ｘ2，…，ｘnをそれぞれ対応付けた第２のグラフを取得する。この第２のグラフは、第２関係（濃度測定値に対するデータ値の関係）を示している。以下、この第２のグラフを図９パート（Ｂ）に示す第１逆グラフとみなし、第１方法における第１逆曲線Ｐ-1抽出以降の処理が行われて、階調補正曲線Ｃが作成される。
【００９５】
この第２の方法で取得される第２のグラフの形状は、第１の方法で取得される第１逆グラフの形状とは異なるため、第２の方法を適用すると、最終的に、第１の方法の場合とは異なる形状の階調補正曲線Ｃを作成することができる。
【００９６】
続いて、階調曲線を抽出する方法として、第３の方法（第３＿Ａの方法、第３＿Ｂの方法）が適用される場合について説明する。
【００９７】
第３の方法では、まず、図６の測定値取得部４１０で取得された濃度測定値が、網％値の単位に単位変換される。濃度測定値を網％値の単位の網％変換値に変換するにあたっては、下記のマレイ・デービスの式が用いられる。
【００９８】
【数１】
2006005449.tif 000003
【００９９】
但し、Ｄ0は白地の濃度測定値
Ｄsはベタの濃度測定値
Ｄtは網％値に変換しようとしている濃度測定値
を表わす。
【０１００】
続いて、横軸にデータ値（入力値）、縦軸に濃度測定値の単位が変換された網％変換値（出力値）がそれぞれ対応付けられて、第３関係（データ値に対する網％変換値の関係）を表わす第３グラフが取得される。
【０１０１】
また、図９パート（Ｃ）に示す目標曲線Ｔが、式（２）によって網％変換値における目標曲線Ｔ３に変換される。
【０１０２】
以下、第１方法と同様にして、第３グラフにおける縦軸と横軸とを入れ替えて、図９パート（Ｂ）に示す第１逆グラフの横軸が網％変換値（出力値）に単位変換された第３逆グラフが取得され、第３逆グラフ上の各点を使って補間処理が行われて第３逆曲線Ｐ-1が作成される。第３逆曲線Ｐ-1も、縦軸と横軸とを入れ替え、式（１）を用いることによって、図９パート（Ａ）に示す第１グラフ上の点を通る階調曲線Ｐを導くことができるため、単位変換がなされた第３逆曲線Ｐ-1を作成する処理も、階調曲線Ｐを抽出する処理と同義である。
【０１０３】
さらに、この第３逆曲線Ｐ-1と目標曲線Ｔ３とを使って、式（１）によって階調補正曲線Ｃ３が作成される。尚、この階調補正曲線Ｃ３は、補正値（縦軸）の単位が網％値であるため、式（２）によって階調補正曲線Ｃ３が濃度の単位の階調補正曲線Ｃに変換される。
【０１０４】
この第３の方法によると、濃度測定値が網％変換値に変換される際に、ドットゲイン等によって出力値の階調が多少つぶれるが、出力値のばらつきが抑えられる。このため、濃度測定値がばらついた、不安定な画像出力装置の場合であっても、歪みの少ない階調補正曲線を作成することができる。
【０１０５】
続いて、階調曲線を抽出する方法として、第４の方法（第４＿Ａの方法、第４＿Ｂの方法）が適用される場合について説明する。
【０１０６】
第４の方法では、第２の方法および第３の方法が合わさった処理が行われる。
【０１０７】
まず、図６の測定値取得部４１０で取得された濃度測定値が、式（２）によって網％変換値に変換される。
【０１０８】
次に、横軸にデータ値（入力値）、濃度測定値の単位が変換された網％変換値（出力値）がそれぞれ対応付けられた第３グラフが取得される。さらに、第３グラフの縦軸（出力値）が所定間隔ごとに区切られて、出力値ｙをΔｙずつｙ＝ｙ1，ｙ2，…，ｙnと変化させたときの入力値ｘ1，ｘ2，…，ｘnが第３グラフ上の点（横軸：データ値，縦軸：網％変換値）に基づいて推測される。
【０１０９】
続いて、横軸に出力値（新たな網％変換値）ｙ＝ｙ1，ｙ2，…，ｙn、縦軸に入力値（新たなデータ値）ｘ1，ｘ2，…，ｘnをそれぞれ対応付けた第４のグラフが取得される。この第４のグラフは、第４関係（網％変換値に対するデータ値の関係）を示している。以下、この第４のグラフを第３方法における第３逆グラフとみなし、第３方法と同様な処理が行われて階調補正曲線Ｃが作成される。
【０１１０】
以上のようにして８つの階調補正曲線が作成されると、それら階調補正曲線は、図６の階調補正曲線選択部４４０に送られる。
【０１１１】
階調補正曲線選択部４４０では、まず、階調補正曲線作成部４３０で作成された８つの階調補正曲線それぞれについて、補正精度の評価が行われる（図７のステップＳ１５）。
【０１１２】
本実施形態においては、濃度測定値が階調補正曲線に従って補正された補正値によって表現される階調が目標階調をどの程度再現しているかを評価する再現評価方法と、階調補正曲線の歪みを評価する歪み評価方法の２つの評価方法が適用される。
【０１１３】
まず、図６の測定値取得部４１０で取得された濃度測定値が、第１＿Ａの方法によって作成された階調補正曲線Ｃに従って補正濃度値に補正され、補正濃度値と目標曲線Ｔ上の目標濃度値との差分が算出される。全濃度測定値における差分の総計を、第１＿Ａの方法における再現評価値とする。同様にして、８つの階調補正曲線Ｃそれぞれにおいて再現評価値が算出される。この再現評価値が小さいほど、カラープリンタ３０によって出力される画像の色の階調が目標階調に近い階調が再現されるように補正される。
【０１１４】
続いて、階調補正曲線の歪みが評価される。
【０１１５】
階調補正曲線Ｃを表わす関数をｙ＝Ｃ（ｘ）とすると、この階調補正曲線全体の歪みＳは以下の式で算出される。
【０１１６】
【数２】
2006005449.tif 000004
【０１１７】
この式（３）を使って、８つの階調補正曲線Ｃそれぞれの歪み評価値が算出される。この歪み評価値が小さいほど、歪みの少ない曲線であることを表わし、トーンジャンプなどといった色の階調の不具合を軽減させることができる。
【０１１８】
各階調補正曲線の評価値が算出されると、図６の階調補正曲線選択部４４０では、それら階調補正曲線の中から１つの階調補正曲線が選択される（図７のステップ１６）。この例では、上述した再現評価値および歪み評価値が所定の割合で加算され、合計の評価値が最も少ない（つまり、目標階調を再現し、歪みが少ない）階調補正曲線が選択される。この図７のステップＳ１５およびステップＳ１６における、階調補正曲線を評価して選択する過程は、本発明の階調補正曲線作成方法における階調補正曲線選択過程の一例に相当する。
【０１１９】
以上のようにして選択された階調補正曲線は、図２に示す階調補正装置５０に送られて、階調補正曲線５１として用いられる。この階調補正曲線５１は、階調補正曲線作成装置６０で作成された複数の階調補正曲線のうち、カラープリンタ３０によって出力される画像の色の階調を最も精度良く補正する階調補正曲線であり、この階調補正曲線５１を適用することによって、カラープリンタ３０において好ましい色を有する画像を出力することができる。
【０１２０】
また、パーソナルコンピュータ２０に、階調特性が不明な新たなプリンタなどが接続されたときであっても、オペレータによって階調補正曲線作成の指示が入力されると、複数の方法によって複数の階調補正曲線が作成され、それら複数の階調補正曲線のうち、そのプリンタに適した階調補正曲線が選択される。したがって、階調特性が不明なプリンタに適用する場合であっても、補正精度が良好な階調補正曲線を作成することができる。
【０１２１】
以上で、本発明の実施形態についての説明を終了する。
【０１２２】
尚、上記説明では、本発明にいう「色に関する物理量」の一例として濃度を適用する例が示されているが、本発明にいう「色に関する物理量」は、測色値などであってもよい。
【０１２３】
また、上記説明では、本発明にいう「第２の物理量」の一例として網％値を適用する例が示されているが、本発明にいう「第２の物理量」は、測定値に基づいて一意に算出されるものであれば、網％値に限らない。
【図面の簡単な説明】
【０１２４】
【図１】本発明の一実施形態が適用された画像処理システムの全体構成図である。
【図２】パーソナルコンピュータ２０の機能ブロック図である。
【図３】図１に１つのブロックで示すパーソナルコンピュータ２０の外観斜視図である。
【図４】パーソナルコンピュータ２０のハードウェア構成図である。
【図５】本発明の階調補正曲線作成プログラムの一実施形態が記憶されたＣＤ−ＲＯＭ１１０を示す概念図である。
【図６】図２に示す階調補正曲線作成装置６０の機能ブロック図である。
【図７】階調補正曲線作成装置６０で階調補正曲線を選択するまでの一連の手順を示すフローチャートである。
【図８】図６にも示すカラーチャート４０１を示す図である。
【図９】図７のフローチャートにおけるステップＳ１３およびステップＳ１４の処理内容を示した模式図である。
【符号の説明】
【０１２５】
１０    カラースキャナ
１１    原稿画像
２０    パーソナルコンピュータ
２１    本体装置
２１ａ    ＦＤ装填口
２１ｂ    ＣＤ−ＲＯＭ装填口
２２    画像表示装置
２２ａ    表示画面
２３    キーボード
２４    マウス
２５    バス
２１１    ＣＰＵ
２１２    主メモリ
２１３    ハードディスク装置
２１４    ＦＤドライブ
２１５    ＣＤ−ＲＯＭドライブ
２１６    入力インタフェース
２１７    出力インタフェース
３０    カラープリンタ
３１    プリント画像
４０    色変換装置
４１    色変換プロファイル
５０    階調補正装置
５１    階調補正曲線
６０    階調補正曲線作成装置
１００    ＦＤ
１１０    ＣＤ−ＲＯＭ
３００    階調補正曲線作成プログラム
３１０    測定値取得部
３２０    階調曲線抽出部
３３０    階調補正曲線作成部
３４０    階調補正曲線選択部
４１０    測定値取得部
４２０    階調曲線抽出部
４３０    階調補正曲線作成部
４４０    階調補正曲線選択部
【図１】
2006005449.tif 000005
【図２】
2006005449.tif 000006
【図３】
2006005449.tif 000007
【図４】
2006005449.tif 000008
【図５】
2006005449.tif 000009
【図６】
2006005449.tif 000010
【図７】
2006005449.tif 000011
【図８】
2006005449.tif 000012
【図９】
2006005449.tif 000013